(57)【特許請求の範囲】
【請求項１】
電子装置のための輸送用コンテナであって、
ゴーグル部分を含み、前記ゴーグル部分は、
第１の側で開いているシャーシと、
前記ゴーグル部分の前記シャーシの第２の側に配置されたレンズアセンブリとを有し、前記第２の側は前記ゴーグル部分の前記シャーシの前記第１の側の反対側にあり、前記ゴーグル部分はさらに、
前記ゴーグル部分の前記シャーシの内周に配置されたレッジとを有し、前記レッジは、前記ゴーグル部分の前記シャーシの前記第１の側から挿入された前記電子装置を、前記第２の側から物理的に支持するように構成されており、前記輸送用コンテナはさらに、
カバー部分を含み、前記カバー部分は、第１の側で開いており第２の側で少なくとも部分的に閉じているシャーシを有し、
前記カバー部分は、前記ゴーグル部分の少なくとも一部が前記カバー部分内に配置されるとともに前記電子装置が前記レッジと前記カバー部分のうち前記第２の側の内面との間に保持されるように、前記ゴーグル部分上に摺動可能に配置されるように構成されており、前記輸送用コンテナはバーチャル・リアリティ・ヘッドセットとしても機能することができる、輸送用コンテナ。
【請求項２】
前記ゴーグル部分の前記シャーシは、左壁、右壁、底壁および上壁を含み、前記左壁、前記右壁、前記底壁および前記上壁は、前記ゴーグル部分のうち開いている前記第１の側を規定する、請求項１に記載の輸送用コンテナ。
【請求項３】
前記レンズアセンブリおよび前記底壁には切欠きが規定されており、前記切欠きは、ユーザの鼻の上に配置されるように構成されている、請求項２に記載の輸送用コンテナ。
【請求項４】
前記カバー部分の前記シャーシは、左壁、右壁、底壁および上壁を含み、前記左壁、前記右壁、前記底壁および前記上壁は、前記カバー部分のうち開いている前記第１の側を規定する、請求項１から３のいずれか一項に記載の輸送用コンテナ。
【請求項５】
前記底壁に切欠きが規定されており、前記切欠きは、ユーザの鼻の上に配置されるように構成されている、請求項４に記載の輸送用コンテナ。
【請求項６】
前記レンズアセンブリは、
第１のアパーチャ、
第２のアパーチャ、
前記第１のアパーチャ内に配置された第１の非球面レンズ、および
前記第２のアパーチャ内に配置された第２の非球面レンズを含む、請求項１から５のいずれか一項に記載の輸送用コンテナ。
【請求項７】
前記第１の非球面レンズの焦点距離および前記第２の非球面レンズの焦点距離は、前記電子装置のディスプレイが前記レンズアセンブリに面した状態で前記電子装置が前記レッジ上に配置されたときの、前記レンズアセンブリから前記電子装置の前記ディスプレイの表面までの距離に少なくとも部分的に基づいている、請求項６に記載の輸送用コンテナ。
【請求項８】
前記カバー部分の前記第２の側にはアパーチャが規定されており、前記アパーチャは、前記電子装置のカメラが前記カバー部分の前記第２の側に面した状態で前記電子装置が前記レッジ上に配置されるとともに前記カバー部分が前記ゴーグル部分上に配置されたときに、前記電子装置の前記カメラを露出させるように構成されている。請求項１から７のいずれか一項に記載の輸送用コンテナ。
【請求項９】
前記ゴーグル部分の前記シャーシ上に配置された入力機構をさらに含み、前記入力機構は前記電子装置と対話するように構成されている、請求項１から８のいずれか一項に記載の輸送用コンテナ。
【請求項１０】
前記入力機構は磁気入力装置を含む、請求項９に記載の輸送用コンテナ。
【請求項１１】
前記入力機構はボタンを含む、請求項９に記載の輸送用コンテナ。
【請求項１２】
前記入力機構は、前記ゴーグル部分の前記シャーシの左壁および前記ゴーグル部分の前記シャーシの右壁のうちの１つ上に配置される、請求項９から１１のいずれか一項に記載の輸送用コンテナ。
【請求項１３】
前記カバー部分の前記シャーシは、前記カバー部分が前記ゴーグル部分上に配置されたときに前記入力機構にアクセスすることを容易にするように構成されたアパーチャを含む、請求項９から１２のいずれか一項に記載の輸送用コンテナ。
【請求項１４】
前記カバー部分が前記ゴーグル部分上に配置されたときに前記ゴーグル部分および前記カバー部分上に摺動可能に嵌合するように構成されたスリーブをさらに含む、請求項１から１３のいずれか一項に記載の輸送用コンテナ。
【請求項１５】
前記レンズアセンブリをカバーするために前記ゴーグル部分内に配置されるように構成された保護ライナーをさらに含む、請求項１から１４のいずれか一項に記載の輸送用コンテナ。
【請求項１６】
前記保護ライナーの上にはタブが配置されており、前記タブは、前記ゴーグル部分から前記保護ライナーを取外すのを容易にするように構成されている、請求項１５に記載の輸送用コンテナ。
【請求項１７】
電子装置のための輸送用コンテナであって、
ゴーグル部分を含み、前記ゴーグル部分は、
第１の側で開いているシャーシと、
前記ゴーグル部分の前記シャーシの第２の側に配置されたレンズアセンブリとを有し、前記第２の側は前記ゴーグル部分の前記シャーシの前記第１の側の反対側にあり、前記ゴーグル部分はさらに、
前記ゴーグル部分の前記シャーシの内周に配置されたレッジとを有し、前記レッジは、前記ゴーグル部分の前記シャーシの前記第１の側から挿入された前記電子装置を、前記第２の側から物理的に支持するように構成されており、前記輸送用コンテナはさらに、
カバー部分を含み、前記カバー部分は、第１の側で開いており第２の側で少なくとも部分的に閉じているシャーシを有し、
前記カバー部分は、前記ゴーグル部分の少なくとも一部が前記カバー部分内に配置されるとともに前記電子装置が前記レッジと前記カバー部分のうち前記第２の側の内面との間に保持されるように、前記ゴーグル部分上に摺動可能に配置されるように構成されており、前記輸送用コンテナはさらに、
前記レンズアセンブリをカバーするために前記ゴーグル部分内に配置されるように構成された保護ライナーと、
スリーブとを含み、前記スリーブは、前記カバー部分が前記ゴーグル部分上に配置されたときに前記ゴーグル部分および前記カバー部分上に摺動可能に嵌合するように構成されており、前記輸送用コンテナはバーチャル・リアリティ・ヘッドセットとしても機能することができる、輸送用コンテナ。
【請求項１８】
前記レンズアセンブリは、
第１のアパーチャ、
第２のアパーチャ、
前記第１のアパーチャ内に配置された第１の非球面レンズ、および
前記第２のアパーチャ内に配置された第２の非球面レンズを含む、請求項１７に記載の輸送用コンテナ。
【請求項１９】
前記ゴーグル部分の前記シャーシ上に配置された入力機構をさらに含み、前記入力機構は、前記輸送用コンテナ内に配置された電子装置と対話するように構成されている、請求項１７または１８に記載の輸送用コンテナ。
【請求項２０】
前記保護ライナーの上にはタブが配置されており、前記タブは、前記ゴーグル部分から前記保護ライナーを取外すのを容易にするように構成されている、請求項１７から１９のいずれか一項に記載の輸送用コンテナ。
【請求項２１】
前記輸送用コンテナ内に含まれる前記電子装置をさらに備える、請求項１から２０のいずれか一項に記載の輸送用コンテナ。
【請求項２２】
前記電子装置は、前記電子装置のディスプレイが前記バーチャル・リアリティ・ヘッドセットをもたらすように前記レンズアセンブリを介してユーザによって視認可能となるように前記レッジによって物理的に支持されている、請求項２１に記載の輸送用コンテナ。
【発明の詳細な説明】
【技術分野】
【０００１】
関連出願の相互参照
本願は、「スマートフォン・パッケージングおよびバーチャル・リアリティ・ヘッドセット（SMARTPHONE PACKAGING AND VIRTUAL REALITY HEADSET）」と題されて２０１５年７月３１日に提出された米国非仮特許出願第１４／８１５，１２４号の優先権を主張するものであって、その継続出願であり、その開示全体が引用によりこの明細書中に援用されている。
【０００２】
技術分野
この開示は、別の目的に再利用されるモバイルデバイスのパッキング（たとえば、輸送用コンテナ）に関する。より具体的には、この開示は、一体型バーチャル・リアリティ・ヘッドセットを含むモバイルデバイス（たとえば、輸送用コンテナ）のためのパッケージングに関する。
【発明の概要】
【課題を解決するための手段】
【０００３】
概要
概略的な局面においては、装置は、ゴーグル部分を含み得る。ゴーグル部分は、第１の側に開いているシャーシと、ゴーグル部分のシャーシの第２の側に配置されたレンズアセンブリと、ゴーグル部分のシャーシの内周に配置されたレッジ(ledge)とを有する。レッジは、ゴーグル部分のシャーシの第１の側から挿入された電子装置を物理的に支持するように構成することができる。装置はまた、第１の側で開いており第２の側で少なくとも部分的に閉じているシャーシを有するカバー部分を含み得る。カバー部分は、ゴーグル部分の少なくとも一部がカバー部分内に配置されるとともに電子装置がレッジとカバー部分の第２の側の内面との間で保持されるように、ゴーグル部分上に配置されるように構成することができる。
【０００４】
実現例は、以下の特徴のうち１つ以上を含み得る。たとえば、ゴーグル部分のシャーシは左壁、右壁、底壁および上壁を含み得る。ゴーグル部分の左壁、右壁、底壁および上壁は、ゴーグル部分のうち開いている第１の側を規定し得る。レンズアセンブリおよび底壁には切欠きが規定され得る。切欠きは、ユーザの鼻の上に配置されるように構成することができる。
【０００５】
カバー部分のシャーシは、左壁、右壁、底壁および上壁を含み得る。カバー部分の左壁、右壁、底壁および上壁は、カバー部分のうち開いている第１の側を規定し得る。底壁には切欠きが規定され得る。切欠きは、ユーザの鼻の上に配置されるように構成することができる。
【０００６】
レンズアセンブリは、第１のアパーチャ、第２のアパーチャ、第１のアパーチャ内に配置された第１の非球面レンズ、および第２のアパーチャ内に配置された第２の非球面レンズを含み得る。第１の非球面レンズの焦点距離および第２の非球面レンズの焦点距離は、電子装置のディスプレイがレンズアセンブリに面した状態で電子装置がレッジ上に配置されたときの、レンズアセンブリから電子装置のディスプレイの表面までの距離に少なくとも部分的に基づき得る。
【０００７】
カバー部分の第２の側にはアパーチャが規定され得る。アパーチャは、電子装置のカメラがカバー部分の第２の側に面した状態で電子装置がレッジ上に配置されるとともにカバー部分がゴーグル部分上に配置されたときに、電子装置のカメラを露出させるように構成することができる。
【０００８】
装置は、ゴーグル部分のシャーシ上に配置された入力機構を含み得る。入力機構は電子装置と対話するように構成することができる。入力機構は磁気入力装置を含み得る。入力機構はボタンを含み得る。入力機構は、ゴーグル部分のシャーシの左壁、およびゴーグル部分のシャーシの右壁のうちの１つ上に配置することができる。カバー部分のシャーシは、カバー部分がゴーグル部分上に配置されたときに入力機構にアクセスすることを容易にするように構成されたアパーチャを含み得る。
【０００９】
装置は、カバー部分がゴーグル部分上に配置されたときにゴーグル部分およびカバー部分上に摺動可能に嵌合するように構成されたスリーブを含み得る。装置は、レンズアセンブリをカバーするために、ゴーグル部分内に配置されるように構成された保護ライナーを含み得る。保護ライナーの上にはタブが配置され得る。タブは、ゴーグル部分から保護ライナーを取外すのを容易にするように構成されている。
【００１０】
別の概略的な局面においては、製品はゴーグル部分を含み得る。ゴーグル部分は、第１の側で開いているシャーシと、ゴーグル部分のシャーシの第２の側に配置されたレンズアセンブリと、ゴーグル部分のシャーシの内周に配置されたレッジとを有する。製品はまた、第１の側で開いており第２の側で少なくとも部分的に閉じているシャーシを有するカバー部分を含み得る。カバー部分は、ゴーグル部分の少なくとも一部がカバー部分内に配置されるように、ゴーグル部分上に配置されるように構成することができる。製品はさらに、レンズアセンブリをカバーするためにゴーグル部分内に配置されるように構成された保護ライナーを含み得る。製品はまた、スリーブをさらに含み得る。スリーブは、カバー部分がゴーグル部分上に配置されたときにゴーグル部分およびカバー部分上に摺動可能に嵌合するように構成されている。
【００１１】
実現例は、以下の特徴のうち１つ以上を含み得る。たとえば、レンズアセンブリは、第１のアパーチャ、第２のアパーチャ、第１のアパーチャ内に配置された第１の非球面レンズ、および第２のアパーチャ内に配置された第２の非球面レンズを含み得る。製品は、ゴーグル部分のシャーシ上に配置された入力機構を含み得る。入力機構は、製品内に配置された電子装置と対話するように構成されている。保護ライナーの上にはタブが配置され得る。タブは、ゴーグル部分から保護ライナーを取外すのを容易にするように構成されている。
【００１２】
１つ以上の実現例の詳細が添付の図面および以下の記載において述べられる。他の特徴は以下の記載、添付の図面、および添付の特許請求の範囲から明らかになるだろう。
【図面の簡単な説明】
【００１３】
【図１】一実現例に従った、一体型モバイルデバイス輸送用コンテナ（パッケージング）およびバーチャル・リアリティ（virtual reality：ＶＲ）ヘッドセットを例示する分解斜視図である。
【図２】一実現例に従った、図１の一体型輸送用コンテナおよびＶＲヘッドセットを正面側から見た斜視図である。
【図３】一実現例に従った、図１の一体型輸送用コンテナおよびＶＲヘッドセットを背面側から見た斜視図である。
【図４】一実現例に従った、図１の輸送用コンテナおよびＶＲヘッドセットを背面側から見た平面図である。
【図５】一実現例に従った、図１の輸送用コンテナおよびＶＲヘッドセットを正面側から見た平面図である。
【図６】一実現例に従った、図１の輸送用コンテナおよびＶＲヘッドセットを左側から見た平面図である。
【図７】一実現例に従った、図１の輸送用コンテナおよびＶＲヘッドセットを底側から見た平面図である。
【図８】一実現例に従った、図１の輸送用コンテナおよびＶＲヘッドセットのカバー部分を、図４における切断線８−８に沿って示す断面図である。
【図９】一実現例に従った、図１の輸送用コンテナおよびＶＲヘッドセットのカバー部分を、図４における切断線９−９に沿って示す断面図である。
【図１０】一実現例に従った、図１の輸送用コンテナおよびＶＲヘッドセットのゴーグル部分を、図５における切断線１０−１０に沿って示す断面図である。
【図１１】一実現例に従った、図１の輸送用コンテナおよびＶＲヘッドセットのゴーグル部分を、図５における切断線１１−１１に沿って示す断面図である。
【図１２】一実現例に従った、別の一体型輸送用コンテナおよびＶＲヘッドセットを正面側から見た斜視図である。
【図１３Ａ】一実現例に従った、一体型モバイルデバイス輸送用コンテナ（パッケージング）およびＶＲヘッドセットにおいてモバイルデバイスを支持するためのレッジを示す図である。
【図１３Ｂ】一実現例に従った、一体型モバイルデバイス輸送用コンテナ（パッケージング）およびＶＲヘッドセットにおいてモバイルデバイスを支持するためのレッジを示す図である。
【図１３Ｃ】一実現例に従った、一体型モバイルデバイス輸送用コンテナ（パッケージング）およびＶＲヘッドセットにおいてモバイルデバイスを支持するためのレッジを示す図である。
【図１３Ｄ】一実現例に従った、一体型モバイルデバイス輸送用コンテナ（パッケージング）およびＶＲヘッドセットにおいてモバイルデバイスを支持するためのレッジを示す図である。
【図１４Ａ】一実現例に従った、一体型モバイルデバイス輸送用コンテナ（パッケージング）およびＶＲヘッドセットにおいてモバイルデバイスを支持するための別のレッジを示す図である。
【図１４Ｂ】一実現例に従った、一体型モバイルデバイス輸送用コンテナ（パッケージング）およびＶＲヘッドセットにおいてモバイルデバイスを支持するための別のレッジを示す図である。
【図１４Ｃ】一実現例に従った、一体型モバイルデバイス輸送用コンテナ（パッケージング）およびＶＲヘッドセットにおいてモバイルデバイスを支持するための別のレッジを示す図である。
【図１４Ｄ】一実現例に従った、一体型モバイルデバイス輸送用コンテナ（パッケージング）およびＶＲヘッドセットにおいてモバイルデバイスを支持するための別のレッジを示す図である。
【図１５Ａ】一実現例に従った、一体型モバイルデバイス輸送用コンテナ（パッケージング）およびＶＲヘッドセットにおいてモバイルデバイスを支持するためのさらに別のレッジを示す図である。
【図１５Ｂ】一実現例に従った、一体型モバイルデバイス輸送用コンテナ（パッケージング）およびＶＲヘッドセットにおいてモバイルデバイスを支持するためのさらに別のレッジを示す図である。
【図１５Ｃ】一実現例に従った、一体型モバイルデバイス輸送用コンテナ（パッケージング）およびＶＲヘッドセットにおいてモバイルデバイスを支持するためのさらに別のレッジを示す図である。
【図１５Ｄ】一実現例に従った、一体型モバイルデバイス輸送用コンテナ（パッケージング）およびＶＲヘッドセットにおいてモバイルデバイスを支持するためのさらに別のレッジを示す図である。
【図１６Ａ】一実現例に従った、一体型モバイルデバイス輸送用コンテナ（パッケージング）およびＶＲヘッドセットにおいてモバイルデバイスを支持するためのさらに別の代替的なレッジを示す図である。
【図１６Ｂ】一実現例に従った、一体型モバイルデバイス輸送用コンテナ（パッケージング）およびＶＲヘッドセットにおいてモバイルデバイスを支持するためのさらに別の代替的なレッジを示す図である。
【図１６Ｃ】一実現例に従った、一体型モバイルデバイス輸送用コンテナ（パッケージング）およびＶＲヘッドセットにおいてモバイルデバイスを支持するためのさらに別の代替的なレッジを示す図である。
【図１６Ｄ】一実現例に従った、一体型モバイルデバイス輸送用コンテナ（パッケージング）およびＶＲヘッドセットにおいてモバイルデバイスを支持するためのさらに別の代替的なレッジを示す図である。
【発明を実施するための形態】
【００１４】
さまざまな図面における同様の参照符号が同様の要素を示している。このようなすべての要素に関して、いくつかの同様の要素についての参照番号は繰返されない可能性がある。所与の実現例におけるいくつかの要素についてのいくつかの参照番号は、その実現例と対応する各図面において繰返されない可能性がある。所与の実現例におけるいくつかの要素についてのいくつかの参照番号はその実現例と対応する他の図面において繰返される可能性があるが、各々の対応する図面に関連付けて具体的に説明されない可能性もある。
【００１５】
詳細な説明
この開示は、他のバーチャル・リアリティ（ＶＲ）ヘッドセット実現例と比べて、比較的低価格でユーザに提供することができるＶＲヘッドセット（ＶＲゴーグルとも称され得る）に向けられている。この明細書中に記載されるＶＲヘッドセットは、対応する消費者用電子装置（たとえばスマートフォン、タブレットなど）を製造業者から消費者に輸送するために用いることができる輸送用コンテナ（たとえば商用のパッケージング）と一体化することができる。すなわち、消費者は、このような一体型輸送用コンテナおよびＶＲヘッドセット（これにより消費者が対応する電子装置を受取る）を用いて、対応する電子装置上で実行または再生することができるＶＲアプリケーションまたはコンテンツに関連付けられた視覚画像を体験することができる。この開示のために、一体型輸送用コンテナおよびＶＲヘッドセットはまた、一体型輸送用コンテナ、一体型パッケージング、輸送用コンテナ、パッケージング、一体型ＶＲヘッドセット、一体型ヘッドセット、ＶＲヘッドセット、ヘッドセットなどと称され得る。
【００１６】
（所与の消費者用電子装置のための）このような一体型輸送用コンテナは、ＶＲヘッドセットとして（たとえば受信側の消費者によって）別の目的に再利用されてもよい（たとえば、この場合、一体型ＶＲヘッドセットは特に所与の電子装置と共に使用されるように設計されている）。この場合、ＶＲヘッドセットの要素は輸送用コンテナのうち１つ以上の要素と一体化されている。たとえば、このような一体型輸送用コンテナを用いてパッケージングおよび輸送される電子装置を受取った後、消費者は、電子装置を一体型輸送用コンテナから荷解きし、１つ以上の付属品（たとえばケーブルなど）を取外し、（この明細書中に記載されるような）いずれの保護用パッケージング材料をも取外し（たとえば、廃棄またはリサイクルし）、一体型ＶＲヘッドセットで電子装置のディスプレイを見るのに適した向きで電子装置を一体型ＶＲヘッドセットに挿入して固定することができる。次いで、消費者は、（たとえば、電子装置によって実行または再生される）ＶＲアプリケーションまたはコンテンツに関連付けられた（ＶＲアプリケーションまたはコンテンツによって作成された）画像を見ることができる。この場合、これらの画像は、電子装置（たとえばスマートフォン、タブレットなど）のディスプレイパネル上に表示され、さらに、コンテンツをバーチャル・リアリティ・コンテンツとして（たとえば仮想の３次元的ビューで）体験するために一体型ＶＲヘッドセットを用いて閲覧され得る。
【００１７】
図に示されるとともにこの明細書中に記載される一体型輸送用コンテナおよびＶＲヘッドセットの実現例は一例として与えられている。したがって、一実現例の特徴は、適宜、他の実現例に含まれ得る。さらに、所与の実現例の特徴は他の実現例では省略することもできる。また、図に示されるとともにこの明細書中に記載される実現例の要素は例示的なものであり、縮尺通りに示されていない可能性もある。さらに、所与の装置の特定の要素の配置は特定の実現例に依存し得る。
【００１８】
この開示のために、この明細書中に例示および記載されている一体型輸送用コンテナおよびＶＲヘッドセットの実現例のさまざまな要素は上、左、右、下などの相対的用語を用いて参照され得る。これらの用語は実現例を説明するために例として用いられている。他の実現例または他の配置方向では、これらの参照は変化する可能性がある。たとえば、１つの図におけるＶＲヘッドセットの左側は、そのＶＲヘッドセットの別の図または別のＶＲヘッドセット実現例では、右側と称される可能性がある。
【００１９】
加えて、この明細書中に記載される一体型輸送用コンテナおよびＶＲヘッドセット実現例の要素は、列挙された参照基準（たとえば第１、第２など）を用いて称されてもよい。相対的に参照することについて上述したように、このような列挙された参照基準は、（所与の図面における）特定の向きに応じて、または一体型輸送用コンテナおよびＶＲヘッドセットの特定の実現例に応じて変化し得る。たとえば、１つの図における第１の端部または第１の側は、別の図においては、または、異なる一体型ＶＲヘッドセット実現例を説明する際には、第２の端部または第２の側と称されることもある。
【００２０】
さらに、１つの図面に示される所与の実現例の要素はその実現例についての別の図面には示されない可能性もある。たとえば、図１に示される（たとえば、輸送の目的で用いられる）電子装置付属品および保護用パッケージング材料は、その実現例を対象とした他の図面には示されていない。
【００２１】
図１は、一実現例に従った、一体型モバイルデバイス輸送用コンテナ（パッケージング）およびバーチャル・リアリティ（ＶＲ）ヘッドセット１００を例示する分解斜視図である。図１において、一体型輸送用コンテナおよびＶＲヘッドセット１００は、一体型輸送用コンテナおよびＶＲヘッドセット１００が輸送用コンテナ（たとえば商業用パッケージング）として用いられる際に含まれ得る要素と共に示される。図示のとおり、図１においては、一体型輸送用コンテナおよびＶＲヘッドセット１００は、この実現例においては、カバー部分１１０、保護ライナー１４０、（レンズ１５２および１５４が取付けられているかまたは装着されている）ゴーグル部分１６０、ならびにスリーブ（外側スリーブ）１７０を含み得る。また図１に示されるように、一体型輸送用コンテナおよびＶＲヘッドセット１００は、電子装置１２０（スマートフォン、タブレットなど）および電子装置１２０のための付属品を消費者に輸送するために用いられてもよい。図１に示されるように、このような付属品はユニバーサルシリアルバス（Universal Serial Bus：ＵＳＢ）充電ケーブル１３２およびヘッドセット１３４を含み得る。他の実現例においては、一体型輸送用コンテナおよびＶＲヘッドセット１００が他の構成を有し得るとともに、図１に示される構成要素および／または図１に関連付けて説明される構成要素とは異なる構成要素を輸送するために使用され得ることが認識されるだろう。
【００２２】
いくつかの実現例においては、一体型輸送用コンテナおよびＶＲヘッドセット１００は近距離無線通信（near-field communications：ＮＦＣ）タグ（図示せず）を含み得る。たとえば、このようなＮＦＣタグは、たとえば、一体型輸送用コンテナおよびＶＲヘッドセット１００のカバー部分１１０に張付けられる、接着剤裏付けタグまたはステッカーの形態を得ることができる。このようなＮＦＣタグは、電子装置１２０を一体型ＶＲヘッドセット１００に挿入する際に、電子装置１２０に対して一体型ＶＲヘッドセット１００を識別するために用いることができる。
【００２３】
このようなＮＦＣタグを用いて電子装置１２０によって一体型ＶＲヘッドセット１００を識別することにより、たとえば、電子装置１２０が、一体型ＶＲヘッドセット１００が（たとえば、特に電子装置用に設計されている）電子装置１２０に対応していると判断することが可能になり得る。他の実現例においては、このようなＮＦＣタグを用いることにより、（たとえば、一体型輸送用コンテナおよびＶＲヘッドセット１００に梱包して輸送されておらず、この一体型ＶＲヘッドセット１００が対応するように特に設計されていない）別の電子装置が、レンズ１５２および１５４の焦点距離、一体型ＶＲヘッドセット１００の物理的寸法などの、ＶＲヘッドセットについてのいくつかの特徴を判断することが可能となり得る。（たとえば、一体型ＶＲヘッドセット１００が対応するように特に設計されていない）他の電子装置は、一体型ＶＲヘッドセット１００の（たとえば、ＮＦＣタグから判断される）このような特徴を用いることにより、それらの装置が視覚的なＶＲコンテンツを如何にレンダリングするかを変更し（たとえば、ユーザ体験を向上させ）得る。
【００２４】
他の実現例においては、一体型輸送用コンテナおよびＶＲヘッドセット１００を用いて電子装置１２０を消費者に輸送する際に、３Ｄの視覚トークン（図示せず）を（たとえば、ＵＳＢケーブル１３２およびヘッドセット１３４と共に）追加の付属品として含めることができる。このような３Ｄトークンは、拡張現実アプリケーション（たとえば、ＶＲアプリケーションまたはＶＲコンテンツ）とともに用いることができる。たとえば、ユーザは、このような拡張現実アプリケーションを実行しているときに、電子装置１２０のカメラ１２４の前方において３Ｄトークンを保持および／または操作することができる。このようなアプローチにおいては、拡張現実アプリケーションは、（たとえば、ユーザの動きおよび／または３Ｄの視覚的トークンの操作に基づいて）ＶＲ空間において３Ｄ物体を操作するという視覚的体験をユーザに提供することができる。
【００２５】
図１に示されるように、電子装置１２０は、電子装置１２０のディスプレイ１２６を上向きにした状態（たとえば、図１の左側に示される電子装置１２０の向き）で、または、カメラ１２２およびフラッシュ１２４を上向きにした状態（たとえば、図１の右側に示される電子装置１２０の向き）で、一体型輸送用コンテナおよびＶＲヘッドセット１００に（たとえば、この明細書中に記載されるようにゴーグル部分１６０に）配置することができる。
【００２６】
この実現例においては、電子装置１２０は、一体型輸送用コンテナおよびＶＲヘッドセット１００を用いて電子装置１２０を消費者に輸送する際に、上向きのディスプレイ１２６に配置されてもよい。さらにこの実現例においては、一体型輸送用コンテナおよびＶＲヘッドセット１００がＶＲヘッドセットとして用いられるときに（たとえば、電子装置１２０上でＶＲアプリケーションおよび／またはコンテンツを実行および／または再生する際に関連付けられるＶＲ画像を見るために電子装置１２０を用いるときに）、電子装置１２０が（ＵＳＢケーブル１３２、ヘッドホン１３４、保護ライナー１４０およびスリーブ１７０を取外した状態で）上向きのカメラ１２２およびフラッシュ１２４に配置されてもよい。
【００２７】
図１に示されるように、一体型輸送用コンテナおよびＶＲヘッドセット１００のゴーグル部分１６０は、第１の側で開いている長方形シャーシを含み得る。他の実現例においては、シャーシは他の構成を有していてもよい。たとえば、ゴーグル部分１６０の長方形シャーシは、図１に示されるような左壁、右壁、底壁、および上壁を含み得る。このようなアプローチにおいては、ゴーグル部分１６０の左壁、右壁、底壁および上壁は、ゴーグル部分１６０のうち開いている第１の側（たとえば、図１におけるゴーグル部分１６０の上向きの側）を規定し得る。
【００２８】
図１に示されるように、ゴーグル部分１６０はまた、ゴーグル部分１６０の長方形シャーシの第２の側に配置されるレンズアセンブリを含み得る。第２の側は開いた第１の側の反対側にある。ゴーグル部分１６０のレンズアセンブリには第１のアパーチャ１６２および第２のアパーチャ１６４が規定され得る。この実現例においては、第１のレンズ（たとえば非球面レンズ）１５２は、レンズアセンブリの第１のアパーチャ１６２に装着（取付け、配置など）することができる。同様に、図１の一体型輸送用コンテナおよびＶＲヘッドセット１００においては、第２のレンズ（たとえば非球面レンズ）１５４は、レンズアセンブリの第２のアパーチャ１６４に装着（取付け、配置など）することができる。
【００２９】
レンズ１５２および１５４は、いくつかの実現可能なアプローチを用いて、それぞれのアパーチャ１６２および１６４に装着することができる。たとえば、レンズアセンブリは多層を含み得るとともに、それらの層の間には非球面レンズ１５２および１５４が搭載され得る。このようなアプローチにおいては、アパーチャ１６２および１６４の周囲には保持タブ（図示せず）が配置され得る。この場合、タブは、レンズの著しい吸蔵を引起こすことなく、レンズ１５２および１５４をアパーチャ１６２および１６４に適所に保持するように構成されている。他のアプローチにおいては、接着剤はアパーチャ１６２および１６４においてそれぞれの非球面レンズ１５２および１５４を取付けるために用いることができる。さらに他の実現例においては、他の技術を用いて、アパーチャ１６２および１６４にそれぞれのレンズ１５２および１５４を固定することができる。
【００３０】
図１にも示されるように、ゴーグル部分１６０は、レンズアセンブリと、ゴーグル部分１６０の長方形シャーシの底壁とに規定された切欠き１６６を含み得る。切欠き１６６は、電子装置１２０のディスプレイ１２６上に表示されたＶＲコンテンツを見る際に、ユーザの鼻の上に一体型ＶＲヘッドセット１００を配置することを可能にするように構成することができる。図２に関して以下に説明されるように、カバー部分１１０は、ゴーグル部分１６０の長方形シャーシの底壁に規定された切欠き１６６の部分に対応する切欠き（図１に示されない切欠き１１４）を有し得る。
【００３１】
図１の一体型輸送用コンテナおよびＶＲヘッドセット１００のゴーグル部分１６０はまた、ゴーグル部分１６０の壁（たとえば左壁）上に配置される磁石１６９Ａを含み得る。この実現例においては、磁石１６９Ａは、電子装置１２０上で実行または再生されているＶＲコンテンツと対話するために用いることができる一体型ＶＲヘッドセット１００の入力機構（たとえば、磁気入力機構）に含まれてもよい。このような入力機構は、たとえば図２に関連付けて以下にさらに詳細に記載される。
【００３２】
図１に示されるように、一体型輸送用コンテナおよびＶＲヘッドセット１００のゴーグル部分１６０はまた、レッジ１６８を含み得る。レッジ１６８は、ゴーグル部分１６０の長方形シャーシの内周に配置されている。レッジ１６８は、電子装置１２０がその長方形シャーシによって規定されるゴーグル部分１６０の第１の（開いた）側から挿入されたときに電子装置１２０を物理的に支持する（たとえば、ゴーグル部分１６０のうち開いている第１の側付近に電子装置１２０を保持する）ように構成することができる。言いかえれば、（たとえば、図１の左側に示されるように、ディスプレイ１２６を上向きに配置した電子装置１２０では）輸送のために、かつ、（たとえば、図１の右側に示されるように、カメラ１２２およびフラッシュ１２４を上向きに配置した電子装置１２０では）ディスプレイ１２６上に表示されるＶＲコンテンツを見るために、一体型輸送用コンテナおよびＶＲヘッドセット１００においてカバー部分１１０と共に電子装置１２０を位置決め／固定するように、電子装置１２０をレッジ１６８上に載せたり、据えたり等することができる。このようなレッジ（たとえばレッジ１６８）を実現するためのアプローチの例が、添付の図面に示され、以下にさらに詳細に記載されている。
【００３３】
図１の一体型輸送用コンテナおよびＶＲヘッドセット１００のカバー部分１１０はまた、ゴーグル部分１６０上への配置を容易にする、第１の側（たとえば下向きであるため、図１においては見ることができない側）で開いている長方形シャーシを含み得る。他の実現例においては、カバー部分のシャーシは、たとえば、ゴーグル部分のシャーシの形状に相応する他の形状を有し得る。この例においては、カバー部分１１０はまた、少なくとも部分的に閉じられている第２の側（たとえば、図１において上向きになっている側）を含み得る。カバー部分１１０の第２の側にはまた、アパーチャ１１２が規定され得る。電子装置１２０のカメラ１２２およびフラッシュ１２４をカバー部分１１０の第２の側に向けた状態で電子装置１２０がレッジ１６８上に配置され、図２に示される配置のように、カバー部分１１０がゴーグル部分１６０上に配置されたとき、アパーチャ１１２は、電子装置１２０のカメラ１２２およびフラッシュ１２４をカバー部分１１０から露出させることができるように構成、配向、配置等され得る。
【００３４】
ゴーグル部分１６０と同様に、一体型輸送用コンテナおよびＶＲヘッドセット１００のカバー部分１１０の長方形シャーシは、左壁、右壁、底壁、および上壁を含み得る（たとえば底壁および右壁は図１においては見えていない）。一体型輸送用コンテナおよびＶＲヘッドセット１００においては、カバー部分１１０の左壁、右壁、底壁および上壁は、カバー部分１１０のうち開いている第１の側を規定し得る。この場合、カバー部分１１０の長方形シャーシおよび対応する開いている第１の側は、カバー部分１１０がゴーグル部分１６０上に摺動可能に嵌合され得るように構成されている。このような配置においては、ゴーグル部分１６０の長方形シャーシ、レッジ１６８、およびカバー部分１１０の第２の側の内面は、（たとえば、ディスプレイ１２６を上向きに配置した電子装置１２０では）輸送のために、かつ、（カメラ１２２およびフラッシュ１２４を上向きに配置した電子装置１２０では）ディスプレイ１２６上に表示されたＶＲコンテンツを見るために、一体型輸送用コンテナおよびＶＲヘッドセット１００において電子装置１２０を保持する（たとえば、摩擦により保持したり、機械的に保持したり等する）ことができる。
【００３５】
簡潔に上述したように、一体型輸送用コンテナおよびＶＲヘッドセット１００のカバー部分１１０は、ゴーグル部分１６０上に配置される（摺動可能に嵌合する）ように構成することができる。このような配置においては、ゴーグル部分１６０のうち少なくとも一部、ほぼすべての部分またはすべての部分は、電子装置１２０が、レッジ１６８と、カバー部分１１０（たとえば、図１におけるカバー部分１１０のうち上向きの側）の第２の側の内面（たとえば、図１におけるカバー部分１１０のうち上向きの側）との間で（摩擦により、機械的に、など）保持されるように、カバー部分１１０内に配置することができる。
【００３６】
一体型輸送用コンテナおよびＶＲヘッドセット１００はさらに、図１に示されるように、保護ライナー１４０を含み得る。保護ライナー１４０は、一体型輸送用コンテナおよびＶＲヘッドセット１００を用いる電子装置１２０の輸送中に、レンズ１５２および１５３ならびにゴーグル部分１６０のレンズアセンブリのための保護カバーとなるように、ゴーグル部分１６０内に配置（挿入など）されるように構成することができる。たとえば、保護カバー１４０は、輸送中に、ＵＳＢケーブル１３２およびヘッドセット１３４（さらには、一体型輸送用コンテナおよびＶＲヘッドセット１００に含まれ得る他の付属品）からレンズ１５２および１５４が損傷を受けるの防ぐことができる。図１に示されるように、保護ライナー１４０はタブ１４２を含み得る。この場合、タブ１４２は、たとえば、消費者が電子装置１２０およびその付属品を荷解きして、ＶＲコンテンツを見るために一体型ＶＲヘッドセット１００を準備しているときなどに、ゴーグル部分１６０から保護ライナー１４０を取外すのを容易にするように構成されている。
【００３７】
図１の一体型輸送用コンテナおよびＶＲヘッドセット１００はさらに、スリーブ１７０（外側スリーブ、保護スリープなど）を含み得る。この場合、スリーブ１７０は、上述したように、カバー部分１１０がゴーグル部分１６０上に配置される（摺動可能に嵌合する）ときに、一体型輸送用コンテナおよびＶＲヘッドセット１００のゴーグル部分１６０およびカバー部分１１０上に摺動可能に嵌合するように構成されている。このようなアプローチにおいては、スリーブ１７０は、（たとえば製造業者から消費者への）輸送中および処理中に、一体型輸送用コンテナおよびＶＲヘッドセット１００（たとえばレンズ１５２および１５４）の他の構成要素を保護し得る。いくつかの実現例においては、スリーブ１７０は、一体型輸送用コンテナおよびＶＲヘッドセット１００の残り部分からスリーブ１７０を取外すのを可能にするために切離しおよび／または取外しできる１つ以上の接着用盤または細片（たとえばテープ）を用いて、カバー部分１１０に固定することができる。
【００３８】
特定の実現例に応じて、カバー部分１１０、保護ライナー１４０、ゴーグル部分１６０およびスリーブ１７０は、いくつかの異なる材料で構成することができる。一体型輸送用コンテナおよびＶＲヘッドセット１００のこれらの構成要素の各々のために同じ材料を用いることができ、または、異なる材料を用いることもできる。いくつかの材料例として、カバー部分１１０、保護ライナー１４０、ゴーグル部分１６０およびスリーブ１７０は、ボール紙、ファイバーボード、プラスチック、厚紙などから形成することができる。いくかの実現例においては、カバー部分１１０、保護ライナー１４０、ゴーグル部分１６０およびスリーブ１７０は打抜き技術を用いて形成することができる。他の実現例においては、他の切断（たとえば精密切断）技術が、たとえば、レーザー切断などの打抜きの代わりに用いられてもよい。
【００３９】
図２は、一実現例に従った、図１の一体型輸送用コンテナおよびＶＲヘッドセット１００を正面側から見た斜視図である。（図３〜図７と同様に）図２に示されるように、一体型輸送用コンテナおよびＶＲヘッドセット１００は、（たとえば電子装置１２０と共に）ＶＲヘッドセットとして使用される配置で示されている。図２の斜視図においては、一体型ＶＲヘッドセット１００は、電子装置１２０が一体型ＶＲヘッドセット１００に挿入されたときに、電子装置１２０上に表示されたＶＲコンテンツを見るためにユーザが配置することができる側（ここでは正面側と称される）から当該ユーザの顔まで、または当該ユーザの顔付近までの部分が示されている。
【００４０】
上述のとおり、図２に示されるように、カバー部分１１０の長方形シャーシの底壁は、一体型ＶＲヘッドセット１００のゴーグル部分１６０における切欠き１６６に対応する切欠き１１４を含む。切欠き１１４および１６６は、図２に示されるように、相補的であり得る（たとえば、互いに位置合わせされ得る）とともに、ユーザの顔に一体型ＶＲヘッドセット１００を配置することを容易にするように構成され得る。切欠き１１４および１６６は、ユーザの鼻の上（鼻の付近、鼻のまわりなど）に配置される。
【００４１】
図２に示されるように、簡潔に上述したとおり、ゴーグル部分１６０の上には磁石１６９Ｂが配置され得る。磁石１６９Ｂは、たとえば、電子装置１２０によって実行または再生されているＶＲコンテンツと対話するためのＶＲ一体型ヘッドセット１００用の入力機構として、図１に示される磁石１６９Ａと共に機能する。図２に示されるように、カバー部分１１０の左壁にはアパーチャ１１６が規定され得る。この場合、磁石１６９Ｂは、図２に示されるように、カバー部分１１０がゴーグル部分１６０上に摺動可能に嵌合されると、アパーチャまたはスロット１１６内に配置される。言いかえれば、アパーチャまたはスロット１１６（以下、「スロット１１６」とする）は、カバー部分１１０を介して入力機構の磁石１６９Ｂにアクセスすることを容易にする。
【００４２】
図２に示される一体型ＶＲヘッドセット１００においては、磁石１６９Ｂは、（たとえばスロット１５４の反対端に向かって）スロット１１６内で（たとえば、ユーザの指などからの外力によって）摺動させることができ、これにより、磁石１６９Ａおよび磁石１６９Ｂによって生成される磁界の組合わせを変化させることができる。電子装置１２０は、（たとえば、ＶＲコンテンツを見るために一体型ＶＲヘッドセット１００に挿入された場合）組合わせた磁界におけるこの変化を入力信号として検出してもよい。この入力信号は、電子装置１２０上で実行されているＶＲアプリケーションまたはＶＲコンテンツとユーザが対話することを可能にするものである。磁石１６９Ｂ上の外力が取除かれると、磁石１６９Ａおよび磁石１６９Ｂの磁界は、（たとえば図２に示されるような）スロット１１６を用いて、磁石１６９Ｂをその元の位置に戻らせてもよい。
【００４３】
図２に示されるように、磁石１６９Ｂは、ゴーグル部分１６０の長方形シャーシの左壁上に配置されており、対応するスロット１１６がカバー部分１１０の長方形シャーシの左壁に形成されている。他の実現例においては、磁石１６９Ａおよび磁石１６９Ｂならびにスロット１１６は、それぞれ、ゴーグル部分１６０の長方形シャーシおよびカバー部分１１０の長方形シャーシのうち別々の壁（たとえば右壁、上壁または底壁）に位置していてもよい。
【００４４】
図３は、一実現例に従った、図１の一体型輸送用コンテナおよびＶＲヘッドセット１００を背面側から見た斜視図である。図２に示されるように、一体型輸送用コンテナおよびＶＲヘッドセット１００は、（たとえば電子装置１２０と共に）ＶＲヘッドセットとして使用される配置で図３に示されている。図３の斜視図においては、一体型ＶＲヘッドセット１００を、図２に示される向きから１８０度回転させた状態で示している。図３に示されるように、電子装置１２０のカメラ１２２およびフラッシュ１２４は、カバー部分１１０におけるアパーチャ１１２を介して露出されている（視認可能である）。このような配置であれば、ユーザが電子装置１２０によって実行または再生されているＶＲコンテンツと対話しているときに、カメラ１２２およびフラッシュ１２４が使用可能となる。たとえば、カメラ１２２および／またはフラッシュ１２４は、この明細書中に記載されているように、画像を取込むために、および／または、３Ｄの視覚的トークンと対話するために、使用されてもよい。
【００４５】
図４は、一実現例に従った、図１の一体型輸送用コンテナおよびＶＲヘッドセット１００を背面側から見た平面図である。図２および図３と同様に、一体型輸送用コンテナおよびＶＲヘッドセット１００は、（たとえば電子装置１２０と共に）ＶＲヘッドセットとして使用される配置で図４に示されている。図４に示されるように、電子装置１２０のカメラ１２２およびフラッシュ１２４は、カバー部分１１０におけるアパーチャ１１２を介して視認可能である（露出されている）。図４はまた、図８および図９にそれぞれ示されるようなカバー部分１１０の断面図のための切断線を示す切断線８−８および切断線９−９を示している。
【００４６】
図５は、一実現例に従った、図１の一体型輸送用コンテナおよびＶＲヘッドセット１００を正面側から見た平面図である。図２〜図４と同様に、一体型輸送用コンテナおよびＶＲヘッドセット１００は、（たとえば電子装置１２０と共に）ＶＲヘッドセットとして使用される配置で図５に示されている。図５に示されるように、ゴーグル部分１６０はカバー部分１１０内に配置することができる。言いかえれば、カバー部分１１０は、ゴーグル部分１６０上に摺動可能に嵌合させることができる。図５はまた、図１０および図１１にそれぞれ示されるように、ゴーグル部分１６０の断面図のための切断線を示す切断線１０−１０および切断線１１−１１を示している。
【００４７】
図６は、一実現例に従った、図１の一体型輸送用コンテナおよびＶＲヘッドセット１００を左側から見た平面図である。図２から図５と同様に、一体型輸送用コンテナおよびＶＲヘッドセット１００は、（たとえば電子装置１２０と共に）ＶＲヘッドセットとして使用される配置で図６に示されている。図６に示されるように、カバー部分におけるスロット１１６およびゴーグル部分１６０上に配置された磁石１６９Ｂは、図１に示されるように、ゴーグル部分１６０の長方形シャーシの左壁の内面に配置されている磁石１６９Ａと位置合わせして配置され得る。
【００４８】
図７は、一実現例に従った、図１の一体型輸送用コンテナおよびＶＲヘッドセット１００を底側から見た平面図である。図２から図６と同様に、一体型輸送用コンテナおよびＶＲヘッドセット１００は、（たとえば電子装置１２０と共に）ＶＲヘッドセットとして使用される配置で図７に示されている。図７に示されるように、（たとえばユーザの鼻の上に配置するための）切欠き１１４および１６６は、カバー部分１１０およびゴーグル部分１６０の対応する部分において互いに相補的であるとともに互いに対して位置合わせされている。
【００４９】
図８は、一実現例に従った、図１の一体型輸送用コンテナおよびＶＲヘッドセット１００のカバー部分１１０を、図４における切断線８−８に沿って示す断面図である。図２〜図７と比較して、カバー部分１１０は、図８の断面図においては、図８に示される図示を覆い隠してしまわないように、図１の一体型輸送用コンテナおよびＶＲヘッドセット１００の他の要素なしで示されている。
【００５０】
図８の断面図においては、カバー部分１１０のアパーチャ１１２およびスロット１１６の配置が示される。他の実現例においては、アパーチャ１１２およびスロット１１６のための他の配置が実現可能である。さらに他の実現例においては、アパーチャ１１２および／またはスロット１１６をなくすこともできる。さらに他の実現例においては、カバー部分１１０は、図８に示されるように、たとえば、入力ボタンなどの他の要素を含み得る。
【００５１】
図９は、一実現例に従った、図１の一体型輸送用コンテナおよびＶＲヘッドセット１００のカバー部分１１０を、図４における切断線９−９に沿って示す断面図である。図８と同様に、カバー部分１１０は、図９の断面図においては、図９に示される図示を覆い隠してしまわないように、図１の一体型輸送用コンテナおよびＶＲヘッドセット１００の他の要素なしで示されている。
【００５２】
図９の断面図においては、カバー部分１１０における（たとえばユーザの鼻の上に配置するための）切欠き１１４の配置が示される。他の実現例においては、切欠き１１４のための他の配置も実現可能である。さらに他の実現例においては、カバー部分１１０は、図９に示されるように、たとえば、入力ボタンなどの他の要素を含み得る。
【００５３】
図１０は、一実現例に従った、図１の一体型輸送用コンテナおよびＶＲヘッドセット１００のゴーグル部分１６０を、図５における切断線１０−１０に沿って示す断面図である。図８および９に示されるカバー部分１１０の断面図と同様に、ゴーグル部分１６０のシャーシは、図１０の断面図においては、図１０に示される図示を覆い隠してしまわないように、図１０の一体型輸送用コンテナおよびＶＲヘッドセット１００の他の要素なしで示されている。
【００５４】
図１０の断面図においては、ゴーグル部分１６０におけるレンズアパーチャ１６２、１６４および磁石１６９の配置が示されている。他の実現例においては、レンズアパーチャ１６２、１６４および磁石１６９Ａのための他の配置も実現可能である。さらに他の実現例においては、磁石１６９Ａは、省かれていてもよく、および／または、たとえばボタンなどの別の入力機構と置換えられてもよい。さらに他の実現例においては、ゴーグル部分１６０は、図１０に示されるように、他の要素を含み得る。
【００５５】
一体型輸送用コンテナおよびＶＲヘッドセット１００のレッジ１６８のための配置例が図１０にも示されている。レッジ１６８は、図１に関連付けて上述されたように、（たとえば、ディスプレイ側を上にした状態で）輸送するために、かつ、（たとえば、ディスプレイ側を下にした状態で）ＶＲコンテンツを見るために、電子装置を支持するように使用（構成、配置等）され得る。図１０（および図１１に）に示されるレッジ１６８の構造は、一例として与えられたものであり、例示の目的で示されている。他の実現例においては、一体型輸送用コンテナおよびＶＲヘッドセットのレッジは、この明細書中に記載されるような他の配置を有することもできる。
【００５６】
レッジ１６８は、ボール紙、ファイバーボード、プラスチック、製紙用パルプ構造などのいくつもの好適な材料を用いて規定（形成、構築等）することができる。特定の実現例においては、レッジ１６８は、ゴーグル部分１６０と一体型することができるか、（たとえば、接着剤を用いて）ゴーグル部分１６０に張付けることができるか、または、図１０（および図１、図１１）に示される配置でゴーグル部分１６８内に配置される別個の構造であり得る。図１０に示されるように、レッジ１６８の構造は、この実現例においては、一体型輸送用コンテナおよびＶＲヘッドセット１００の磁石１６９Ａを収容するための開口部を有し得る。
【００５７】
また、図１０に示されるように、一体型輸送用コンテナおよびＶＲヘッドセット１００を用いてＶＲコンテンツを見るときに電子装置を上に配置することができるレッジ１６８の表面は、ゴーグル部分１６０のレンズアパーチャ１６２および１６４からの距離Ｄ１であり得る。一体型輸送用コンテナおよびＶＲヘッドセット１００においては、非球面レンズ１５２および１５４の焦点距離は、一体型輸送用コンテナおよびＶＲヘッドセット１００を用いてＶＲコンテンツを見るときにユーザの体験を向上させるように、距離Ｄ１に基づいて決定することができる。
【００５８】
図１１は、一実現例に従った、図１の一体型輸送用コンテナおよびＶＲヘッドセット１００のゴーグル部分１６０を、図５における切断線１１−１１に沿って示す断面図である。図１０と同様に、ゴーグル部分１６０のシャーシは、図１１の断面図においては、図１１に示される図示を覆い隠してしまわないように、図１の一体型輸送用コンテナおよびＶＲヘッドセット１００の他の要素なしで示されている。
【００５９】
図１１の断面図においては、ゴーグル部分１６０における切欠き１６６（たとえばユーザの鼻の上に配置するための）配置が示されている。他の実現例においては、切欠き１６６のための他の配置も実現可能である。さらに他の実現例においては、ゴーグル部分１６０は、図１１に示されるように、入力機構などの他の要素を含み得る。
【００６０】
さらに図１１にも、図１０に示された一体型輸送用コンテナおよびＶＲヘッドセット１００のレッジ１６８のための配置例がさらに例示されている。図１０と同様に、図１１に示されるレッジ１６８の構造は、一例として与えられたものであり、例示の目的で示されている。他の実現例においては、一体型輸送用コンテナおよびＶＲヘッドセットのレッジは、この明細書中に記載されるような他の配置を有することもできる。この実現例の場合、図１１に示されるように、レッジ１６８の構造は、一体型輸送用コンテナおよびＶＲヘッドセット１００の切欠き１６６を収容するように配置され得る。
【００６１】
図１２は、一実現例に従った、別の一体型輸送用コンテナおよびＶＲヘッドセット２００（一体型ＶＲヘッドセット２００）を正面側から見た斜視図である。一体型ＶＲヘッドセット２００は一体型ＶＲヘッドセット１００と類似している。しかしながら、他の構成および配置を有する一体型ＶＲヘッドセットも実現可能であることが認識されるだろう。簡潔かつ明瞭にするために、一体型ＶＲヘッドセット１００と同様の一体型ＶＲヘッドセット２００の局面についての詳細は、ここでは、図１２に関連付けて詳しく説明しないものとする。
【００６２】
図１２に示されるように、一体型ＶＲヘッドセット２００のカバー部分２１０は、ボタン２６９へのアクセスを容易にするアパーチャ２１６を含む。このようなアプローチにおいては、ボタン２６８を一体型ヘッドセット２００のゴーグル部分２６０に対して張付け、取付けおよび／または一体化することができる。一体型ＶＲヘッドセット２００においては、ボタン２６９は、対応する電子装置のボタンと位置合わせされるようにゴーグル部分２６０上に配置することができる。たとえば、対応する電子装置は、（たとえば、この明細書中に記載されるように、外側スリーブおよび保護ライナーと共に）輸送用コンテナとして一体型ヘッドセット２００を用いて輸送される装置であってもよい。
【００６３】
このようなアプローチにおいては、ボタン２６９の位置は、輸送用コンテナおよびＶＲヘッドセットとして用いられるように一体型ＶＲヘッドセット２００が設計されている特定の電子装置（または複数の電子装置）に基づき得る。言いかえれば、ボタン２６９の位置は、ＶＲアプリケーションおよび／またはコンテンツと対話する際に使用するのに適した対応する電子装置（または複数の電子装置）の入力ボタンが、対応する電子装置（または複数の電子装置）に配置されている場所に依存し得る。したがって、他の実現例においては、ボタン２６９の位置は、たとえば、一体型ヘッドセット２００を用いる輸送されるべき特定の電子装置（または複数の電子装置）に基づいて、さらには、ＶＲアプリケーションおよび／またはＶＲコンテンツに関連付けられた画像を見るために一体型ＶＲヘッドセット２００を用いる特定の電子装置（または複数の電子装置）に基づいて、異なり得る。
【００６４】
図１３Ａ〜図１３Ｄ、図１４Ａ〜図１４Ｄ、図１５Ａ〜図１５Ｄおよび図１６Ａ〜図１６Ｄは、一実現例に従った、一体型モバイルデバイス輸送用コンテナ（パッケージング）およびＶＲヘッドセットにおいて実現することができるレッジ構造の構成例を示す図である。図１３Ａ〜図１６Ｄにおいては、一体型輸送用コンテナおよびＶＲヘッドセット１３００、１４００、１５００および１６００の要素がこれらのレッジ構成例を例示するために図示されている。明瞭にする目的で、一体型輸送用コンテナおよびＶＲヘッドセット１３００、１４００、１５００および１６００の他の要素は図１３Ａ〜図１６Ｄには示されていない。たとえば、図１３Ａ〜図１６Ｄは、（たとえばユーザの鼻の上に配置するための）切欠き、入力機構、レンズアパーチャ、レンズなどは図示していない。一体型輸送用コンテナおよびＶＲヘッドセットのこれらの局面が図１３Ａ〜図１６Ｄに示される実現例に組込まれ得ることが認識されるだろう。
【００６５】
図１３Ａおよび図１３Ｂは、一実現例に従った、一体型輸送用コンテナおよびＶＲヘッドセット１３００におけるゴーグル部分１３６０およびレッジ（レッジ構造）１３６８の斜視図を示す。図１３Ａおよび図１３Ｂの斜視図に示されるように、レッジ１３６８は、ゴーグル部分１３６０に挿入されて、ゴーグル部分１３６０内にレッジを規定することができる。当該レッジは、（たとえば、ディスプレイが上向き位置の状態で）輸送中に、かつ、（たとえば、ディスプレイが下向き位置の状態で）電子装置上のＶＲコンテンツを見るために、（上述した電子装置１２０などの）電子装置を支持するために用いることができる。レッジ１３６８は、接着剤ストリップ、にかわなどのいくつかのアプローチを用いて、ゴーグル部分１３６０に張付けることができる。他の実現例においては、レッジ１３６８は、接着剤（または他のもの）を用いることなく、ゴーグル部分１３６０内に摩擦によって保持されるようなサイズにすることができる。ゴーグル部分１３６０およびレッジ１３６８は、この明細書中に記載されるように、いくつもの適切な材料から構成することができる。
【００６６】
図１３Ｃは、図１３Ｂに例示される構成における一体型輸送用コンテナおよびＶＲヘッドセット１３００を上側から見た平面図である。図１３Ｃに示されるように、レッジ１３６８は、ゴーグル部分１３６０の内周に配置することができる。図１３Ｃはまた、切断線１３Ｄ−１３Ｄを示す。この切断線１３Ｄ−１３Ｄは、図１３Ｄに示される一体型輸送用コンテナおよびＶＲヘッドセット１３００の断面図のための切断線を示している。図１３Ｄの断面図に示されるように、レッジ１３６８は、ゴーグル部分１３６０内に配置することができ、ゴーグル部分１３６０の底壁の内面上に載せる（配置する）ことができる。レッジ１３６８は、（たとえば、輸送のために、および／またはＶＲコンテンツを見るために）電子装置を支持するように構成されたレッジをゴーグル部分１３６０内に（内側に窪ませて）規定することができる。この明細書中に記載されるように、カバー部分（図示せず）は、ゴーグル部分１３６０内に電子装置を保持するためにゴーグル部分１３６０上に配置されてもよい。
【００６７】
図１４Ａおよび図１４Ｂは、一実現例に従った、一体型輸送用コンテナおよびＶＲヘッドセット１４００のゴーグル部分１４６０およびレッジ（レッジ構造）構成要素１４６８Ａ、１４６８Ｂの斜視図を示す。図１４Ａおよび図１４Ｂの斜視図に示されるように、レッジ構成要素１４６８Ａおよび１４６８Ｂをゴーグル部分１４６０に挿入して、ゴーグル部分１４６０内にレッジを規定することができる。規定された当該レッジは、（たとえば、ディスプレイが上向き位置の状態で）輸送中に、かつ、（たとえば、ディスプレイが下向き位置の状態で）電子装置上のＶＲコンテンツを見るために、（上述した電子装置１２０などの）電子装置を支持するために用いることができる。レッジ構成要素１４６８Ａ、１４６８Ｂは、接着剤ストリップ、にかわなどのいくつかのアプローチを用いて、ゴーグル部分１４６０に張付けることができる。他の実現例においては、レッジ構成要素１４６８Ａ、１４６８Ｂは、接着剤（または他のもの）を用いることなくゴーグル部分１４６０内に摩擦によって保持されるようなサイズにされ得る。ゴーグル部分１４６０およびレッジ構成要素１４６８Ａ、１４６８Ｂは、この明細書中に記載されるようにいくつもの適切な材料から構成することができる。
【００６８】
図１４Ｃは、図１４Ｂに示される構成における一体型輸送用コンテナおよびＶＲヘッドセット１４００を上側から見た平面図である。図１４Ｃに示されるように、レッジ構成要素１４６８Ａ、１４６８Ｂは、ゴーグル部分１４６０の対向壁同士のそれぞれの内面に沿って配置することができる。図１４Ｃはまた、切断線１４Ｄ−１４Ｄを示す。この切断線１４Ｄ−１４Ｄは、図１４Ｄに示される一体型輸送用コンテナおよびＶＲヘッドセット１４００の断面図のための切断線を示している。図１４Ｄの断面図に示されるように、レッジ構成要素１４６８Ａおよび１４６８Ｂは、ゴーグル部分１４６０内の対向壁に沿って配置することができ、かつ、ゴーグル部分１４６０の底壁の内面上に載せることもできる。レッジ構成要素１４６８Ａ、１４６８Ｂは、図１４Ｄに示されるように、（たとえば、輸送のために、および／またはＶＲコンテンツを見るために）電子装置を支持するように構成されたレッジをゴーグル部分１４６０内に（内側に窪ませて）規定することができる。この明細書中に記載されるように、カバー部分（図示せず）は、ゴーグル部分１４６０内で電子装置を保持するためにゴーグル部分１４６０上に配置されてもよい。
【００６９】
図１５Ａおよび図１５Ｂは、一実現例に従った、一体型輸送用コンテナおよびＶＲヘッドセット１５００のゴーグル部分１５６０およびレッジ（レッジ構造）構成要素１５６８Ａ、１５６８Ｂの斜視図を示す。図１５Ａおよび図１５Ｂの斜視図に示されるように、レッジ構成要素１５６８Ａおよび１５６８Ｂを、ゴーグル部分１５６０に規定されたそれぞれのスロット１５６５Ａおよび１５６５Ｂに挿入して、ゴーグル部分１５６０内にレッジを規定することができる。ゴーグル部分１５６０内に規定されたレッジを用いることにより、（たとえば、ディスプレイが上向き位置の状態で）輸送中に、かつ、（たとえば、ディスプレイが下向き位置の状態で）電子装置上のＶＲコンテンツを見るために、（上述した電子装置１２０などの）電子装置を支持することができる。レッジ構成要素１５６８Ａ、１５６８Ｂは、接着剤ストリップ、にかわなどのいくつかのアプローチを用いて、ゴーグル部分１５６０に張付けることができる。他の実現例においては、他のアプローチを用いて、レッジ構成要素１５６８Ａ、１５６８Ｂをそれぞれのスロット１５６５Ａ、１５６５Ｂ内に保持することができる。ゴーグル部分１５６０およびレッジ構成要素１５６８Ａ、１５６８Ｂは、この明細書中に記載されるようにいくつもの適切な材料から構成することができる。
【００７０】
図１５Ｃは、図１５Ｂに示される構成における一体型輸送用コンテナおよびＶＲヘッドセット１５００を上側から見た平面図である。図１５Ｃに示されるように、レッジ構成要素１５６８Ａ、１５６８Ｂは、ゴーグル部分１５６０の対向壁のそれぞれの外面に沿って配置することができ、ゴーグル部分１５６０内に延在してレッジの対抗する側を形成することができる。図１５Ｃはまた、切断線１５Ｄ−１５Ｄを示す。この切断線１５Ｄ−１５Ｄは、図１５Ｄに示される一体型輸送用コンテナおよびＶＲヘッドセット１５００の断面図のための切断線を示している。図１５Ｄの断面図に示されるように、レッジ構成要素１５６８Ａ、１５６８Ｂは、ゴーグル部分１５６０の対向壁の外面に沿って配置することができ、ゴーグル部分１５６０内に延在させることができる。レッジ構成要素１５６８Ａ、１５６８Ｂは、図１５Ｄに示されるように、（たとえば、輸送のために、および／またはＶＲコンテンツを見るために）電子装置を支持するように構成されたレッジをゴーグル部分１５６０内に（内側に窪ませて）規定することができる。この明細書中に記載されるように、カバー部分（図示せず）は、ゴーグル部分１５６０内に電子装置を保持するためにゴーグル部分１５６０上に配置されてもよい。
【００７１】
図１６Ａおよび図１６Ｂは、一実現例に従った、一体型輸送用コンテナおよびＶＲヘッドセット１６００のゴーグル部分１６６０およびレッジ（レッジ構造）１６６８の斜視図を示す。図１６Ａおよび図１６Ｂの斜視図に示されるように、レッジ１６６８をゴーグル部分１６６０に挿入してゴーグル部分１６６０内にレッジを規定することができる。ゴーグル部分１６６０内に規定されたレッジを用いることにより、（たとえば、ディスプレイが上向き位置の状態で）輸送中に、かつ、（たとえば、ディスプレイが下向き位置の状態で）電子装置上のＶＲコンテンツを見るために、（上述したような電子装置１２０などの）電子装置を支持することができる。レッジ１６６８は、接着剤ストリップ、にかわなどのいくつかのアプローチを用いて、ゴーグル部分１６６０に張付けることができる。他の実現例においては、（図１６Ｂに示されるように）ゴーグル部分１６６０内の固定位置にレッジ１６６８を保持するために他のアプローチを用いることができる。ゴーグル部分１６６０およびレッジ１６６８は、この明細書中に記載されるように、いくつもの適切な材料から構成することができる。
【００７２】
図１６Ｃは、図１６Ｂに示される構成における一体型輸送用コンテナおよびＶＲヘッドセット１６００を上側から見た平面図である。図１６Ｃに示されるように、レッジ１６６８は、ゴーグル部分１６６０の内周に配置することができる。図１６Ｃはまた、切断線１６Ｄ−１６Ｄを示す。この切断線１６Ｄ−１６Ｄは、図１６Ｄに示される一体型輸送用コンテナおよびＶＲヘッドセット１６００の断面図のための切断線を示している。図１６Ｄの断面図に示されるように、レッジ１６６８はゴーグル部分１６６０内に（内側に窪ませて）配置することができる。レッジ１６６８は、（たとえば、輸送のために、および／またはＶＲコンテンツを見るために）電子装置を支持するように構成されたレッジをゴーグル部分１６６０内に規定することができる。この明細書中に記載されるように、カバー部分（図示せず）は、ゴーグル部分１６６０内に電子装置を保持するためにゴーグル部分１６６０上に配置されてもよい。
【００７３】
概略的な局面においては、装置はゴーグル部分を含み得る。ゴーグル部分は、第１の側で開いているシャーシと、ゴーグル部分のシャーシの第２の側に配置されたレンズアセンブリと、ゴーグル部分のシャーシの内周に配置されたレッジとを有する。レッジは、ゴーグル部分のシャーシの第１の側から挿入された電子装置を物理的に支持するように構成することができる。装置はまた、第１の側で開いており第２の側で少なくとも部分的に閉じているシャーシを有するカバー部分を含み得る。カバー部分は、ゴーグル部分の少なくとも一部がカバー部分内に配置されるとともに電子装置がレッジとカバー部分のうち第２の側の内面との間に保持されるように、ゴーグル部分上に配置されるように構成することができる。
【００７４】
実現例は、以下の特徴のうち１つ以上を含み得る。たとえば、ゴーグル部分のシャーシは、左壁、右壁、底壁および上壁を含み得る。ゴーグル部分の左壁、右壁、底壁および上壁は、ゴーグル部分のうち開いている第１の側を規定することができる。レンズアセンブリおよび底壁には切欠きが規定され得る。切欠きは、ユーザの鼻の上に配置されるように構成され得る。
【００７５】
カバー部分のシャーシは、左壁、右壁、底壁および上壁を含み得る。カバー部分の左壁、右壁、底壁および上壁は、カバー部分のうち開いている第１の側を規定することができる。底壁に切欠きが規定され得る。切欠きは、ユーザの鼻の上に配置されるように構成され得る。
【００７６】
レンズアセンブリは、第１のアパーチャ、第２のアパーチャ、第１のアパーチャ内に配置された第１の非球面レンズ、および第２のアパーチャ内に配置された第２の非球面レンズを含み得る。第１の非球面レンズの焦点距離および第２の非球面レンズの焦点距離は、電子装置のディスプレイがレンズアセンブリに面した状態で電子装置がレッジ上に配置されたときの、レンズアセンブリから電子装置のディスプレイの表面までの距離に少なくとも部分的に基づき得る。
【００７７】
カバー部分の第２の側にはアパーチャが規定され得る。アパーチャは、電子装置のカメラがカバー部分の第２の側に面した状態で電子装置がレッジ上に配置されるとともにカバー部分がゴーグル部分上に配置されたときに、電子装置のカメラを露出させるように構成することができる。
【００７８】
装置は、ゴーグル部分のシャーシ上に配置された入力機構を含み得る。入力機構は電子装置と対話するように構成することができる。入力機構は磁気入力装置を含み得る。入力機構はボタンを含み得る。入力機構は、ゴーグル部分のシャーシの左壁、およびゴーグル部分のシャーシの右壁のうちの１つ上に配置することができる。カバー部分のシャーシは、カバー部分がゴーグル部分上に配置されたときに入力機構にアクセスすることを容易にするように構成されたアパーチャを含み得る。
【００７９】
装置は、カバー部分がゴーグル部分上に配置されたときにゴーグル部分およびカバー部分上に摺動可能に嵌合するように構成されたスリーブを含み得る。装置は、レンズアセンブリをカバーするためにゴーグル部分内に配置されるように構成された保護ライナーを含み得る。保護ライナーの上にはタブが配置され得る。タブは、ゴーグル部分から保護ライナーを取外すのを容易にするように構成されている。
【００８０】
別の概略的な局面においては、製品はゴーグル部分を含み得る。ゴーグル部分は、第１の側で開いているシャーシと、ゴーグル部分のシャーシの第２の側に配置されたレンズアセンブリと、ゴーグル部分のシャーシの内周に配置されたレッジとを有する。製品はまた、第１の側で開いており第２の側で少なくとも部分的に閉じているシャーシを有するカバー部分を含み得る。カバー部分は、ゴーグル部分の少なくとも一部がカバー部分内に配置されるように、ゴーグル部分上に配置されるように構成することができる。製品はさらに、レンズアセンブリをカバーするためにゴーグル部分内に配置されるように構成された保護ライナーを含み得る。製品はまた、スリーブをさらに含み得る。スリーブは、カバー部分がゴーグル部分上に配置されたときにゴーグル部分およびカバー部分上に摺動可能に嵌合するように構成されている。
【００８１】
実現例は、以下の特徴のうち１つ以上を含み得る。たとえば、レンズアセンブリは、第１のアパーチャ、第２のアパーチャ、第１のアパーチャ内に配置された第１の非球面レンズ、および第２のアパーチャ内に配置された第２の非球面レンズを含み得る。製品は、ゴーグル部分のシャーシ上に配置された入力機構を含み得る。入力機構は、製品内に配置された電子装置と対話するように構成されている。保護ライナーの上にはタブが配置され得る。タブは、ゴーグル部分から保護ライナーを取外すのを容易にするように構成されている。
【００８２】
いくつかの実現例が説明されてきた。しかしながら、本発明の精神および範囲から逸脱することなく、さまざまな変更が実施可能であることが理解されるだろう。
【図１】
0006581212.tif 000002
【図２】
0006581212.tif 000003
【図３】
0006581212.tif 000004
【図４】
0006581212.tif 000005
【図５】
0006581212.tif 000006
【図６】
0006581212.tif 000007
【図７】
0006581212.tif 000008
【図８】
0006581212.tif 000009
【図９】
0006581212.tif 000010
【図１０】
0006581212.tif 000011
【図１１】
0006581212.tif 000012
【図１２】
0006581212.tif 000013
【図１３Ａ】
0006581212.tif 000014
【図１３Ｂ】
0006581212.tif 000015
【図１３Ｃ】
0006581212.tif 000016
【図１３Ｄ】
0006581212.tif 000017
【図１４Ａ】
0006581212.tif 000018
【図１４Ｂ】
0006581212.tif 000019
【図１４Ｃ】
0006581212.tif 000020
【図１４Ｄ】
0006581212.tif 000021
【図１５Ａ】
0006581212.tif 000022
【図１５Ｂ】
0006581212.tif 000023
【図１５Ｃ】
0006581212.tif 000024
【図１５Ｄ】
0006581212.tif 000025
【図１６Ａ】
0006581212.tif 000026
【図１６Ｂ】
0006581212.tif 000027
【図１６Ｃ】
0006581212.tif 000028
【図１６Ｄ】
0006581212.tif 000029